(57)【特許請求の範囲】
【請求項１】
感光性の像担持体と、
上記像担持体の表面上に形成された静電潜像を現像する現像手段と、
可視像を転写材に転写する転写手段と、
上記転写材上に転写された現像像を定着させる転写材定着手段とを有し、
上記像担持体、上記現像手段、上記転写手段及び上記転写材定着手段は、駆動源によって回転制御される画像形成装置において、
上記像担持体の表面上を露光して静電潜像を形成する光学ユニットと、
上記光学ユニット内の長尺のミラーまたはレンズを保持して位置決めする保持位置決め手段を有し、
上記保持位置決め手段は、上記ミラーまたはレンズの一端側における２点の位置決め部と、他端側における１点の位置決め部とを有し、
上記一端側の２点の位置決め部は、上記ミラーまたはレンズの傾きを規制すると共に、上記駆動源が配置されている側とは逆側に位置していることを特徴とする画像形成装置。
【請求項２】
上記２点の位置決め部と上記１点の位置決め部は、上記ミラーまたはレンズを接着固定していることを特徴とする請求項１記載の画像形成装置。
【請求項３】
上記転写手段は、転写ローラを有し、この転写ローラの一端には、上記像担持体からの駆動力を伝達する伝達駆動手段が設けられており、
上記伝達駆動手段は、上記駆動源が配置されている側に位置していて、
上記転写ローラは、その両端に設けられた加圧手段の加圧力で上記像担持体に対して位置決め保持されていて、上記伝達駆動手段が設けられている一端に設けられた加圧手段の加圧力は、他端に設けられている加圧手段の加圧力よりも、上記伝達駆動手段の回転に伴う反力分だけ大きい加圧力になっていることを特徴とする請求項１または２記載の画像形成装置。
【発明の詳細な説明】
【０００１】
【発明の属する技術分野】
本発明は、複写機、プリンタ、ファクシミリ等の画像形成装置に関するものである。
【０００２】
【従来の技術】
近年の画像形成装置によれば、形成される画像の画素密度が向上しており、これに伴い、画像ジターの低減も要求されている。画像ジターは、転写ローラや定着ローラ等が設けられている駆動系に発生した振動によって生じるものであり、特に、光学ユニット内に設けられている折り返しミラーやレンズ等の光学素子に上記振動が伝達されると、画像ジターの発生に大きく影響する。
【０００３】
そこで、従来から光学系に伝達される上記振動を低減し、画像ジターの発生を抑制するようにした画像形成装置が提案されている。例えば、特開昭６４−７７０７９号公報に記載されているものは、駆動系に設けられた定着ローラの駆動手段を支持する部材と、光学ユニットの支持部材とを互いに隔離して設けることによって、駆動系に発生した振動が光学ユニットに伝達されるのを抑制し、画像ジターの発生を抑制している。
【０００４】
【発明が解決しようとする課題】
しかしながら、上記公報に記載されているものは、駆動系に発生した振動が光学ユニットに伝達されるのを抑制したものであるが、さらなる画像ジターの低減を図るためには、光学ユニットに伝達された振動が、光学ユニット内に設けられている光学素子に伝達されないようにする必要がある。
【０００５】
本発明は以上のような従来技術に鑑みてなされたものであり、駆動系に発生した振動が光学ユニットに伝達されるのを抑制すると共に、上記振動が光学ユニット内の光学素子に伝達しにくいように光学素子の取付を改善し、画像ジターの少ない高画質の画像を形成することができる画像形成装置を提供することを目的とする。
【０００６】
【課題を解決するための手段】
請求項１記載の発明は、感光性の像担持体と、上記像担持体の表面上に形成された静電潜像を現像する現像手段と、可視像を転写材に転写する転写手段と、上記転写材上に転写された現像像を定着させる転写材定着手段とを有し、上記像担持体、上記現像手段、上記転写手段及び上記転写材定着手段は、駆動源によって回転制御される画像形成装置において、上記像担持体の表面上を露光して静電潜像を形成する光学ユニットと、上記光学ユニット内の長尺のミラーまたはレンズを保持して位置決めする保持位置決め手段を有し、上記保持位置決め手段は、上記ミラーまたはレンズの一端側における２点の位置決め部と、他端側における１点の位置決め部とを有し、上記一端側の２点の位置決め部は、上記ミラーまたはレンズの傾きを規制すると共に、上記駆動源が配置されている側とは逆側に位置していることを特徴とする。
【０００７】
請求項２記載の発明は、請求項１記載の発明において、上記２点の位置決め部と上記１点の位置決め部は、上記ミラーまたはレンズを接着固定していることを特徴とする。
【０００８】
請求項３記載の発明は、請求項１または２記載の発明において、上記転写手段は、転写ローラを有し、この転写ローラの一端には、上記像担持体からの駆動力を伝達する伝達駆動手段が設けられており、上記伝達駆動手段は、上記駆動源が配置されている側に位置していて、上記転写ローラは、その両端に設けられた加圧手段の加圧力で上記像担持体に対して位置決め保持されていて、上記伝達駆動手段が設けられている一端に設けられた加圧手段の加圧力は、他端に設けられている加圧手段の加圧力よりも、上記伝達駆動手段の回転に伴う反力分だけ大きい加圧力になっていることを特徴とする。
【０００９】
【発明の実施の形態】
以下、図面を参照しながら本発明にかかる画像形成装置の実施の形態について説明する。図１には、本発明にかかる画像形成装置の一例を示している。図１において、符号１は、感光性の像担持体である感光体を示している。この感光体１の周辺には、感光体１を所定の電位に均一に帯電する帯電手段２、感光体１の表面上を露光して静電潜像を形成する光学ユニット４、静電潜像に付着させるトナーを供給するトナー供給部５、感光体１の表面上に形成された静電潜像を上記トナー供給部５から供給されるトナーで現像する現像手段６、可視像を転写材に転写する転写手段７ａ、転写材上に転写された現像像を定着させる転写材定着手段７、転写後の感光体１の表面を除電すると共にクリーニングするクリーニング手段３等が適宜配置されている。また、上記感光体１、現像手段６、転写手段７ａ’および転写材定着手段７は、駆動源としての駆動ユニット２６（図４参照）によって回転制御される。
【００１０】
上記転写手段７ａ’は、可視像を転写材に転写する転写ローラ７ａを有している。また、上記転写材定着手段７は、搬送経路７ｂに沿ってその下流側に設けられた排紙トレイ２０に向けて搬送される転写材に転写ローラ７ａによって転写された可視像を定着させる定着部７ｃを有していて、この定着部７ｃは、ヒータ７ｄを内蔵した定着ローラ７ｆと、この定着ローラ７ｆと圧接して対向された加圧ローラ７ｇとを有している。
【００１１】
感光体１は、反時計方向に定速回転し、帯電手段２により所定の電位に均一に帯電される。帯電された感光体１上には、光学ユニット４内に配置された光源から出射し、偏向器によって等角速度的に偏向された光束が、ｆθミラー、反射ミラー等の結像光学系を介することによって結像すると共に主走査方向に走査され露光される。この主走査と、感光体１の回転による副走査により、原稿画像に対応した静電潜像が感光体１の表面上に形成される。なお、光学ユニット４の具体的な説明については後述する。
【００１２】
この静電潜像は、現像手段６によって現像されて可視像となる。つまり、現像手段６によってトナー供給部５から供給されたトナーが静電潜像に付着して感光体ドラム１の表面に可視像が形成される。この可視像は、搬送経路７ｂに沿って搬送された転写材に転写ローラ７ａによって転写される。可視像が転写された転写材は、定着部７ｃによって可視像が定着され、定着後は、排紙トレイ２０上に排出される。転写後の感光体１の表面は、クリーニング手段３によって除電され、かつ、クリーニングされる。
【００１３】
次に、搬送経路７ｂに沿って搬送される転写材の搬送動作について説明する。図１に示すように、転写材は、画像形成装置本体の下方に設けられている第１給紙トレイ１０から給紙される。具体的に述べると、第１給紙トレイ１０は、画像形成装置本体に着脱可能なものであり、図１には、第１給紙トレイ１０が本体に装填された状態を示している。
【００１４】
この第１給紙トレイ１０内に積層された転写材は、第１給紙トレイ１０の底部に設けられた底板１０ａによって上方に押し付けられるとともに、第１給紙トレイ１０内に積層された最上の転写材が給紙ローラ１１に接触する。そして、給紙ローラ１１の回転（図において反時計方向）とともに、分離パッド１２によって第１給紙トレイ１０内に積層された転写材が１枚ずつ分離されながら、レジストローラ１３まで下から上に向かって搬送される。
【００１５】
その後、感光体１上の可視像と同期するようにタイミングがとられて、転写ローラ７ａに搬送される。この転写ローラ７ａは、レジストローラ１３の上方にあって、転写材は上方に搬送される。転写ローラ７ａに搬送された転写材は、上述のように、転写ローラ７ａによって可視像が転写される。転写材はさらに転写ローラ７ａの上方にある定着部７ｃに搬送されて、ヒータ７ｄを内蔵した定着ローラ７ｆと、この定着ローラ７ｆに圧接対向した加圧ローラ７ｇとの間で可視像が定着される。その後、排紙ローラ対８によって、可視像が定着された面を下にして排紙トレイ２０上に排出される。このように、転写材の搬送経路７ｂは、図１において画像形成装置本体内の右側に縦方向に向かって形成されている。
【００１６】
また、図６に示すように、上記感光体１、帯電手段２、クリーニング手段３、トナー供給部５、および現像手段６は、カートリッジ３０によって一体にユニット化されていて、このカートリッジ３０は、画像形成装置本体の開閉可能な正面カバーを開閉することにより、画像形成装置本体に対して着脱可能となっている。また、画像形成装置本体の図１において右側部には、第２給紙トレイ１０’が画像形成装置本体に対し開閉可能に取り付けられている。この第２給紙トレイ１０’は転写材を手差しで供給するものである。
【００１７】
この第２給紙トレイ１０’内に積層された転写材は、第１給紙トレイ１０内に積層された転写材と同様に、第２給紙トレイ１０’の底部に設けられた底板１０’ａによって上方に押し付けられるとともに、第２給紙トレイ１０’内に積層された最上の転写材が給紙ローラ１１’に接触する。そして、給紙ローラ１１’の回転（図において反時計方向）とともに、図示しない分離パッドによって第２給紙トレイ１０’内に積層された転写材が１枚ずつ分離されながら、レジストローラ１３まで下から上に向かって搬送される。
【００１８】
次に、上記光学ユニット４について説明する。この光学ユニット４は、前述の通り、感光体１の表面上を露光して静電潜像を形成するためのものである。図２および図４に示すように、光学ユニット４のハウジング２５には、ＬＤユニット４ａ、シリンダレンズ４ｂ、４ｈ、ポリゴンミラー４ｃ、ｆθミラー４ｄ、第１折り返しミラー４ｅ、ＢＴＬレンズ４ｆ等の光学素子が各々光学的所期の機能を果たすように取り付けられている。
【００１９】
これらの光学素子をより具体的に述べると、光源としてのＬＤユニット４ａは、光走査用の光束を放射するものであり、一般には、レーザダイオード（ＬＤ）が使用される。図４では、このＬＤユニット４ａの背面側がハウジング２５の外側面に突出しているものを示しているが、ＬＤユニット４ａ全体がハウジング２５内に収納されるように配置されていてもよい。
【００２０】
ＬＤユニット４ａから放射される光束の光路上には、光学ユニット４のハウジング２５内を点検する時などに、光束を遮断して光束が外部に漏出するのを防止するＬＤシャッタ４ｇ、線像結像素子としてのシリンダレンズ４ｂ、およびシリンダレンズ４ｂを透過した光束をｆθミラー４ｄに向けて等角速度的に偏向するポリゴンミラー４ｃが直列的に設けられている。
【００２１】
上記ポリゴンミラー４ｃによって偏向される光束の通路上には、ポリゴンミラー４ｃによって偏向された光束を等速的に第１折り返しミラー４ｅに向けて反射する長尺のｆθミラー４ｄが取り付けられている。このｆθミラー４ｄによる反射光束の通路上には、ｆθミラー４ｄによって反射された光束をＢＴＬレンズ４ｆに向けて反射する長尺の第１折り返しミラー４ｅが取り付けられている。上記第１折り返しミラー４ｅによって反射される反射光束の通路上には、ＢＴＬレンズ４ｆ、およびＢＴＬレンズ４ｆを透過した光束が透過する防塵ガラス４ｋが直列的に設けられている。上記ｆθミラー４ｄ、第１折り返しミラー４ｅ、およびＢＴＬレンズ４ｆは、ポリゴンミラー４ｃによる偏向光束を感光体１の被走査面上に集光させ、かつ、光走査を等速化する光学素子群を構成している。また、ｆθミラー４ｄによる反射光束の一部は、シリンダレンズ４ｈを透過して同期検知部４ｍによって検出される。この検出信号によって、被走査面上での主走査方向の書き出し位置が制御される。
【００２２】
次に、上記光学素子の光学的機能について説明する。図２および図３に示すように、ＬＤユニット４ａから放射された光束は、線像結像素子としてのシリンダレンズ４ｂを透過して副走査方向のみに収束し、ポリゴンミラー４ｃの偏向反射面近傍に主走査対応方向に長い線像として結像する。ポリゴンミラー４ｃは、入射光束を等角速度的に偏向する。
【００２３】
上記ポリゴンミラー４ｃの偏向反射面により反射された光束は、ｆθミラー４ｄによって反射され、第１折り返しミラー４ｅによって折り返され、ＢＴＬレンズ４ｆおよび防塵ガラス４ｋを透過し、ポリゴンミラー４ｃにより等角速度的に偏向されるに伴い、感光体１の被走査面を光走査する。上記ｆθミラー４ｄ、または、このｆθミラー４ｄとＢＴＬレンズ４ｆの組み合わせでｆθ機能を有し、ポリゴンミラー４ｃによる等角速度的な偏向光を被走査面上で等速的に光走査する。
【００２４】
ＬＤユニット４ａから放射した光束は、前述のように、シリンダレンズ４ｂにより副走査方向にのみ収束させられ、ポリゴンミラー４ｃの偏向反射面近傍に主走査方向に長い線像として結像する。そして、副走査方向については、ｆθミラー４ｄおよびＢＴＬレンズ４ｆを有してなる結像光学系が上記偏向反射面位置と被走査面位置とを幾何光学的に略共役な関係としているため、ポリゴンミラー４ｃの各反射面の面倒れの影響をなくすことができるようになっている。
【００２５】
また、ｆθミラー４ｄによって反射された光束の一部は、シリンダレンズ４ｈを透過して同期検知部４ｍによって検出され、この検出信号によって、被走査面上での主走査方向の書き出し位置が制御される。
【００２６】
次に、上記光学ユニット４内に設けられたシリンダレンズ４ｂ、４ｈ、ポリゴンミラー４ｃ、ｆθミラー４ｄ、第１折り返しミラー４ｅ、ＢＴＬレンズ４ｆ等のミラー又はレンズの取付について説明する。図５には、上記ミラー又はレンズの一例として上記第１折り返しミラー４ｅを示している。図５に示すように、第１折り返しミラー４ｅは、保持位置決め手段４０によって、光学的所期の機能を果たすように保持され位置決めされている。保持位置決め手段４０は、第１折り返しミラー４ｅの一端側（図において右側）を保持して位置決めする２点の位置決め部４１と、第１折り返しミラー４ｅの他端側（図において左側）を保持して位置決めする１点の位置決め部４２とからなる。２点の位置決め部４１と１点の位置決め部４２は、突起状のもので、光学ユニット４のハウジング２５（図４参照）の内底面に、例えば、ハウジング２５とともに樹脂の一体成形によって形成されている。
【００２７】
２点の位置決め部４１には、第１折り返しミラー４ｅの傾きを規制する２点の規制面４１ａ、４１ｂが形成されていて、この２点の規制面４１ａ、４１ｂを第１折り返しミラー４ｅのミラー面に接面させることにより、第１折り返しミラー４ｅの傾きを規制し、かつ、第１折り返しミラー４ｅの一端側（図において右側）を保持して位置決めすることができる。また、２点の位置決め部４１は、上記感光体１、現像手段６、転写手段７ａ’および転写材定着手段７を回転制御している駆動ユニット２６（図４参照）が配置されている側とは逆側に位置している。
【００２８】
一方、１点の位置決め部４２には、第１折り返しミラー４ｅの他端側（図において左側）を保持する１点の保持面４２ａが形成されていて、この１点の保持面４２ａを第１折り返しミラー４ｅのミラー面に当接させることにより、第１折り返しミラー４ｅの他端側を保持して位置決めすることができる。
【００２９】
また、２点の位置決め部４１と１点の位置決め部４２は、第１折り返しミラー４ｅを介して弾性部材４３、４４がそれぞれ対向配置されている。弾性部材４３、４４は、光学ユニット４のハウジング２５（図４参照）の内底面にネジ４３ａ、４４ｂでそれぞれ取り付けられていて、各自身の弾性力で第１折り返しミラー４ｅを２点の規制面４１ａ、４１ｂおよび保持面４２ａに加圧するように設けられている。この弾性部材４３、４４の弾性力で、第１折り返しミラー４ｅは保持位置決め手段４０に固定されて保持される。上記弾性部材４３、４４としては、板ばね、コイルばね等を用いることができる。図５に示すものは、弾性部材４３、４４として板ばねが用いられている。
【００３０】
また、２点の位置決め部４１と１点の位置決め部４２は、第１折り返しミラー４ｅを接着固定することもできる。すなわち、２点の位置決め部４１の規制面４１ａ、４１ｂと第１折り返しミラー４ｅとの間、および１点の位置決め部４２の保持面４２ａと第１折り返しミラー４ｅとの間をそれぞれ接着させて固定させることができる。図６に示すような弾性部材による加圧と接着とを併用してもよい。
【００３１】
外部で発生した振動は、上記２点の位置決め部４１と１点の位置決め部４２から第１折り返しミラー４ｅに伝わるが、接触面積が大きい程振動が伝わりやすい。その点上記実施の形態によれば、第１折り返しミラー４ｅの傾きを規制し、かつ、第１折り返しミラー４ｅの一端側を保持して位置決めする２点の位置決め部４１を、駆動ユニット２６（図４参照）が配置されている側とは逆側に配置し、第１折り返しミラー４ｅの他端側を単に保持する１点の位置決め部４２が、駆動ユニット２６（図４参照）が配置されている側と同じ側に配置され、振動源に近い側が面積の小さい１点の位置決め部４２で保持されているため、駆動ユニット２６（図４参照）に発生した振動が、第１折り返しミラー４ｅに伝達されるのを抑制することができ、画像ジターの少ない高画質の画像を形成することができる。従って、１点の位置決め部４２の保持面４２ａは、上記振動が伝達されないように、極力小さくしたほうがよい。
【００３２】
また、２点の位置決め部４１と１点の位置決め部４２で第１折り返しミラー４ｅを接着固定することにより、第１折り返しミラー４ｅをより強固に保持することができるため、駆動ユニット２６（図４参照）に発生した振動が、第１折り返しミラー４ｅに伝達されるのをより抑制することができ、画像ジターの少ない高画質の画像を形成することができる。
【００３３】
以上、光学ユニット４内のミラー又はレンズの一例として第１折り返しミラー４ｅをあげ、この第１折り返しミラー４ｅの取付について説明したが、シリンダレンズ４ｂ、４ｈ、ポリゴンミラー４ｃ、ｆθミラー４ｄ、ＢＴＬレンズ４ｆ等のミラー又はレンズの取付についても同様にすることができ、これによって、駆動ユニット２６（図４参照）に発生した振動が光学ユニット４内の各結像素子に伝達されるのを抑制することができ、画像ジターの少ない高画質の画像を形成することができる。
【００３４】
次に、上記転写手段７ａ’の転写ローラ７ａについて説明する。図７に示すように、感光体１の一端（図において右側）には、駆動ユニット２６（図４参照）からの駆動力が伝達される第１駆動伝達ギヤ７０が取り付けられている。また、感光体１の一端（図において右側）であって、第１駆動伝達ギヤ７０の内側には、上記駆動力を転写ローラ７ａに伝達する第２駆動伝達ギヤ７１が取り付けられている。
【００３５】
一方、転写ローラ７ａの両端には、軸７３、７４がそれぞれ取り付けられている。転写ローラ７ａの一端（図において右側）の軸７３には、上記第２駆動伝達ギヤ７１と噛み合い、上記駆動力が伝達される第３駆動伝達ギヤ７２が取り付けられている。この第３駆動伝達ギヤ７２は、感光体１からの駆動力を伝達する伝達駆動手段を構成していて、駆動ユニット２６（図４参照）が配置されている側と同じ側に配置されている。第３駆動伝達ギヤ７２には、コロ７２ａが取り付けられた円筒状の軸７２ｂが一体に形成されていて、この円筒状の軸７２ｂを軸７３に固着することにより、転写ローラ７ａの軸７３に第３駆動伝達ギヤ７２が取り付けられる。
【００３６】
転写ローラ７ａの一端（図において左側）の軸７３には、上記コロ７２ａと同じ外径のコロ７５が取り付けられている。上記コロ７２ａとコロ７５は、感光体１と転写ローラ７ａとの間に所定の間隔のギャップを形成するためのものである。転写材は転写ローラ７ａによって可視像が転写されながら、上記ギャップを通過することができる。
【００３７】
上記軸７２ｂには、軸受７６が取り付けられている。この軸受７６は、加圧手段としての弾性部材７６ａの弾性力で感光体１側に付勢されていて、これによって、転写ローラ７ａの一端（図において右側）が感光体１側に加圧され位置決め保持される。また、上記軸７３には、軸受７７が取り付けられている。この軸受７７は、加圧手段としての弾性部材７７ａの弾性力で感光体１側に付勢されていて、これによって、転写ローラ７ａの一端（図において左側）が感光体１側に加圧され位置決め保持される。なお、図７に示す弾性部材７６ａ、７７ａは、共にコイルばねであるが、転写ローラ７ａを感光体１側に加圧することができるものであればどのようなものでもよい。
【００３８】
図８に示すように、互いに噛み合っている第２駆動伝達ギヤ７１と第３駆動伝達ギヤ７２には、接線８０に対して圧力角θだけ傾いた力Ｆ１が回転駆動時に発生する。すなわち、回転駆動時に力Ｆ１の分力である力Ｆ２が第３駆動伝達ギヤ７２に向けて発生する。この力Ｆ２は、上記弾性部材７６ａの弾性力と反対方向の力であり、上記弾性部材７６ａの弾性力をＦ３とすると、転写ローラ７ａの一端（図において右側）は、Ｆ３−Ｆ２の加圧力で加圧される。従って、弾性部材７６ａの弾性力を、弾性部材７７ａの弾性力よりも、第３駆動伝達ギヤ７２の回転に伴う反力Ｆ２分だけ大きい加圧力にすることにより、転写ローラ７ａの両端において均一な加圧力で、転写ローラ７ａを感光体１に対して位置決め保持することができる。
【００３９】
以上のように、上記駆動力が伝達される第３駆動伝達ギヤ７２が、転写ローラ７ａの一端（図において右側）、すなわち駆動ユニット２６（図４参照）が配置されている側と同じ側に配置され、前記２点の位置決め部４１とは反対側に配置されているため、駆動ユニット２６（図４参照）に発生した振動が、光学ユニット４内のミラー又はレンズに伝達されるのを抑制することができ、画像ジターの少ない高画質の画像を形成することができる。また、転写ローラ７ａの両端において均一な加圧力で、転写ローラ７ａを感光体１に対して位置決め保持するようにしているため、均等な転写ニップを得ることができ、高画質の画像を形成することができる。
【００４０】
【発明の効果】
請求項１記載の発明によれば、感光性の像担持体と、上記像担持体の表面上に形成された静電潜像を現像する現像手段と、可視像を転写材に転写する転写手段と、上記転写材上に転写された現像像を定着させる転写材定着手段とを有し、上記像担持体、上記現像手段、上記転写手段及び上記転写材定着手段は、駆動源によって回転制御される画像形成装置において、上記像担持体の表面上を露光して静電潜像を形成する光学ユニットと、上記光学ユニット内の長尺のミラーまたはレンズを保持して位置決めする保持位置決め手段を有し、上記保持位置決め手段は、上記ミラーまたはレンズの一端側における２点の位置決め部と、他端側における１点の位置決め部とを有し、上記一端側の２点の位置決め部は、上記ミラーまたはレンズの傾きを規制すると共に、上記駆動源が配置されている側とは逆側に位置し、振動を伝えにくい上記１点の位置決め部は、振動源側と同じ側に位置しているため、駆動系に発生した振動が、上記ミラーまたはレンズに伝達されるのを抑制することができ、画像ジターの少ない高画質の画像を形成することができる。
【００４１】
請求項２記載の発明によれば、請求項１記載の発明において、上記２点の位置決め部と上記１点の位置決め部は、上記ミラーまたはレンズを接着固定しているため、駆動系に発生した振動が、上記ミラーまたはレンズに伝達されるのをより抑制することができ、画像ジターの少ない高画質の画像を形成することができる。
【００４２】
請求項３記載の発明によれば、請求項１または２記載の発明において、上記転写手段は、転写ローラを有し、この転写ローラの一端には、上記像担持体からの駆動力を伝達する伝達駆動手段が設けられており、上記伝達駆動手段は、上記駆動源が配置されている側に位置していて、上記転写ローラは、その両端に設けられた加圧手段の加圧力で上記像担持体に対して位置決め保持されていて、上記伝達駆動手段が設けられている一端に設けられた加圧手段の加圧力は、他端に設けられている加圧手段の加圧力よりも、上記伝達駆動手段の回転に伴う反力分だけ大きい加圧力になっているため、駆動系に発生した振動が、上記ミラーまたはレンズに伝達されるのを抑制することができ、画像ジターの少ない高画質の画像を形成することができる。また、転写ローラの両端において均一な加圧力で、転写ローラを像担持体に対して位置決め保持するようにしているため、均等な転写ニップを得ることができ、高画質の画像を形成することができる。
【図面の簡単な説明】
【図１】本発明に適用可能な画像形成装置の例を示す正面図である。
【図２】本発明に適用可能な光学ユニット内の光学素子の配置例を示す斜視図である。
【図３】上記光学素子の光学的機能のプロセスを示すフローチャートである。
【図４】上記光学ユニット内の光学素子の配置例を示す分解斜視図である。
【図５】本発明の実施の形態を示す斜視図である。
【図６】本発明に適用可能なカートリッジの例を示す側面図である。
【図７】本発明の別の実施の形態を示す斜視図である。
【図８】上記実施の形態に適用された第３駆動伝達ギヤに発生する反力を示す側面図である。
【符号の説明】
１    感光体
４    光学ユニット
４ａ  ＬＤユニット
４ｂ  シリンダレンズ
４ｃ  ポリゴンミラー
４ｄ  ｆθミラー
４ｅ  第１折り返しミラー
４ｆ  ＢＴＬレンズ
５    トナー供給部
６    現像手段
７    転写材定着手段
７ａ  転写ローラ
２５    ハウジング
２６    駆動ユニット
３０    カートリッジ
４０    保持位置決め手段
４１    ２点の位置決め部
４１ａ  規制面
４１ｂ  規制面
４２    １点の位置決め部
４２ａ  保持面
４３    弾性部材
４４    弾性部材
７０    第１駆動伝達ギヤ
７１    第２駆動伝達ギヤ
７２    第３駆動伝達ギヤ
７６ａ  弾性部材
７７ａ  弾性部材
【図１】
0003714450.tif 000002
【図２】
0003714450.tif 000003
【図３】
0003714450.tif 000004
【図４】
0003714450.tif 000005
【図５】
0003714450.tif 000006
【図６】
0003714450.tif 000007
【図７】
0003714450.tif 000008
【図８】
0003714450.tif 000009